(57)【要約】【課題】  環境に悪影響を与えることなく簡単な設備で廉価に実施できる海藻養殖用網の処理方法及びその処理に用いる細菌を提供する。【解決手段】  処理槽１内に海藻養殖用網１０を投入し、この処理槽１内に処理用液Ｗを海藻養殖用網１０が浸るように流入させた後に、蓋部材２にて処理槽１の開口を塞止し、処理槽１内の処理用液Ｗを３０℃〜６０℃程度まで昇温させる。そして、処理槽１内の処理用液Ｗに処理用細菌Ｂを添加し、１日に１〜数回、処理槽１内を攪拌する操作を数時間〜１週間程度行うことによって、摘取残渣の一部又は全部を分解し、海藻養殖用網１０，１０，…から摘取残渣を脱離・除去させる。【選択図】  図１
2008237053.tif 000002
【特許請求の範囲】
【請求項１】
海藻の養殖に用いた海藻養殖用網を処理する方法において、
１又は複数の前記海藻養殖用網を処理槽内に配置する一方、その前後に適宜塩濃度の処理用液を前記処理槽内へ流入させて前記海藻養殖用網を浸漬させ、前記処理用液に含まされ、低温側生育限界温度が少なくとも３０℃であり、生育に適宜の塩濃度を要求する処理用細菌によって前記海藻養殖用網に残存する海藻を除去することを特徴とする海藻養殖用網の処理方法。
【請求項２】
前記処理用細菌として、前記海藻を分解する能力を有するミクロブルビファ  エスピー  エムビー−エルワン（Microbulbifer  sp.MB-L1）（ＦＥＲＭ  ＡＰ−２１２５１）を用いる請求項１記載の海藻養殖用網の処理方法。
【請求項３】
前記処理用細菌として、マリノバクター  エスピー  アールビー−エヌシースリー（Marinobacter  sp.RB-Nc3）（ＦＥＲＭ  ＡＰ−２１２５０）及び／又はバチルス  エスピー  ビーエル−ジーセブンティーツー（Bacillus  sp.BL-G72）（ＦＥＲＭ  ＡＰ−２１２４９）を更に用いる請求項２記載の海藻養殖用網の処理方法。
【請求項４】
前記処理用液は、１質量／容量％以上３質量／容量％以下のＮａＣｌを含有する請求項１から３のいずれかに記載の海藻養殖用網の処理方法。
【請求項５】
海藻の養殖に用いた海藻養殖用網の処理に使用する細菌であって、
低温側生育限界温度が４０℃であり、生育に適宜の塩濃度を要求し、前記海藻を分解する能力を有するミクロブルビファ  エスピー  エムビー−エルワン（Microbulbifer  sp.MB-L1）（ＦＥＲＭ  ＡＰ−２１２５１）。
【請求項６】
海藻の養殖に用いた海藻養殖用網の処理に使用する細菌であって、
低温側生育限界温度が３０℃であり、生育に適宜の塩濃度を要求するマリノバクター  エスピー  アールビー−エヌシースリー（Marinobacter  sp.RB-Nc3）（ＦＥＲＭ  ＡＰ−２１２５０）。
【請求項７】
海藻の養殖に用いた海藻養殖用網の処理に使用する細菌であって、
低温側生育限界温度が４０℃であり、生育に適宜の塩濃度を要求するバチルス  エスピー  ビーエル−ジーセブンティーツー（Bacillus  sp.BL-G72）（ＦＥＲＭ  ＡＰ−２１２４９）。
【発明の詳細な説明】
【技術分野】
【０００１】
本発明は、海苔といった海藻の養殖に用いた網を処理する方法及びその処理に用いる細菌に関するものである。
【背景技術】
【０００２】
海苔の養殖では、胞子を着生・発芽させた海苔網を海中に配置し、当該海苔網表面に成長した葉体を適宜の期間を隔てて複数回摘み取るという作業が、１シーズンに一又は複数回行われている。このような海苔養殖に用いた海苔網は次のシーズンにも使用されるが、養殖に用いた海苔網には海苔の摘取残渣が着生しているため、既使用の海苔網に再び胞子を着生させる作業を行う前に、当該海苔網から摘取残渣を除去しておくことが重要である。
かかる摘取残渣の除去は一般的に、養殖後の海苔網を野積み又は土中へ埋置して摘み取り残渣を腐敗させることによって行われていた。
【０００３】
また、後記する特許文献１では、被電解水として海水又は塩化ナトリウム水溶液を有隔膜電解槽内に貯留し、この有隔膜電解槽内で被電解水を電解して生成された強アルカリ性水をコンベアで搬送される海苔網上に散布すると共に円筒状の洗浄ブラシを海苔網に転接させることによって海苔網から摘取残渣を除去処理する方法が開示されている。
【特許文献１】特開２００４−１５４０５３号公報
【発明の開示】
【発明が解決しようとする課題】
【０００４】
しかしながら、前者の腐敗によって海苔網を処理する方法では、処理に長期間を要するのに加え、生成した摘取残渣の腐敗物が自然界に放出されるため、環境に悪影響を与えるという問題があった。
【０００５】
一方、後者の処理方法では、処理時間は短いものの、有隔膜電解槽及び強アルカリ性水の散布・洗浄装置等、大規模な設備が必要であるのに加え、除去処理に大量の被電解水を要すると共に被電解水の電解に大量の電力を消費するという問題があった。また、環境に悪影響を与えることを防止するため、除去処理後の摘取残渣を含む大量の電解水を浄化処理しなければならないという問題もあった。
【０００６】
本発明は、斯かる事情に鑑みてなされたものであって、環境に悪影響を与えることなく簡単な設備で廉価に実施できる海藻養殖用網の処理方法及びその処理に用いる細菌を提供する。
【課題を解決するための手段】
【０００７】
請求項１記載の本発明は、海藻の養殖に用いた海藻養殖用網を処理する方法において、１又は複数の前記海藻養殖用網を処理槽内に配置する一方、その前後に適宜塩濃度の処理用液を前記処理槽内へ流入させて前記海藻養殖用網を浸漬させ、前記処理用液に含まされ、低温側生育限界温度が少なくとも３０℃であり、生育に適宜の塩濃度を要求する処理用細菌によって前記海藻養殖用網に残存する海藻を除去することを特徴とする。
【０００８】
請求項２記載の本発明は、請求項１において、  前記処理用細菌として、前記海藻を分解する能力を有するミクロブルビファ  エスピー  エムビー−エルワン（Microbulbifer  sp.MB-L1）（ＦＥＲＭ  ＡＰ−２１２５１）を用いることを特徴とする。
【０００９】
請求項３記載の本発明は、請求項２において、前記処理用細菌として、マリノバクター  エスピー  アールビー−エヌシースリー（Marinobacter  sp.RB-Nc3）（ＦＥＲＭ  ＡＰ−２１２５０）及び／又はバチルス  エスピー  ビーエル−ジーセブンティーツー（Bacillus  sp.BL-G72）（ＦＥＲＭ  ＡＰ−２１２４９）を更に用いることを特徴とする。
【００１０】
請求項４記載の本発明は、請求項１から３のいずれかにおいて、前記処理用液は、１質量／容量％以上３質量／容量％以下のＮａＣｌを含有することを特徴とする。
【００１１】
請求項５記載の本発明は、海藻の養殖に用いた海藻養殖用網の処理に使用する細菌であって、低温側生育限界温度が４０℃であり、生育に適宜の塩濃度を要求し、前記海藻を分解する能力を有するミクロブルビファ  エスピー  エムビー−エルワン（Microbulbifer  sp.MB-L1）（ＦＥＲＭ  ＡＰ−２１２５１）であることを特徴とする。
【００１２】
請求項６記載の本発明は、海藻の養殖に用いた海藻養殖用網の処理に使用する細菌であって、低温側生育限界温度が３０℃であり、生育に適宜の塩濃度を要求するマリノバクター  エスピー  アールビー−エヌシースリー（Marinobacter  sp.RB-Nc3）（ＦＥＲＭ  ＡＰ−２１２５０）であることを特徴とする。
【００１３】
請求項７記載の本発明は、海藻の養殖に用いた海藻養殖用網の処理に使用する細菌であって、低温側生育限界温度が４０℃であり、生育に適宜の塩濃度を要求するバチルス  エスピー  ビーエル−ジーセブンティーツー（Bacillus  sp.BL-G72）（ＦＥＲＭ  ＡＰ−２１２４９）であることを特徴とする。
【００１４】
本発明者らは、海藻養殖用網に付着している海藻を微生物を用いて除去すべく、所要の細菌を分離することに成功して本発明を完成するに至った。
すなわち、分離した細菌は、低温側生育限界温度が４０℃であり、生育に適宜の塩濃度を要求し、前記海藻を分解する能力を有するMicrobulbifer  sp.MB-L1（ＦＥＲＭ  ＡＰ−２１２５１）、このMicrobulbifer  sp.MB-L1（ＦＥＲＭ  ＡＰ−２１２５１）と併用され、低温側生育限界温度が３０℃であり、生育に適宜の塩濃度を要求するMarinobacter  sp.RB-Nc3（ＦＥＲＭ  ＡＰ−２１２５０）及び低温側生育限界温度が４０℃であり、生育に適宜の塩濃度を要求するBacillus  sp.BL-G72（ＦＥＲＭ  ＡＰ−２１２４９）である。
【００１５】
後二者の２菌株は、海藻を分解する能力は殆ど認められなかったものの、前者のMicrobulbifer  sp.MB-L1（ＦＥＲＭ  ＡＰ−２１２５１）による海藻の分解を補助・促進する能力を有している。従って、後二者の２菌株は、低温側生育限界温度が４０℃であり、生育に適宜の塩濃度を要求し、前記海藻を分解する能力を有するMicrobulbifer  sp.MB-L1（ＦＥＲＭ  ＡＰ−２１２５１）と併用される。
【００１６】
これらの細菌の低温側生育限界温度は少なくとも３０℃である一方、海藻の養殖温度は略２５℃以下であるので、当該細菌は海藻の養殖環境では増殖できず、処理後の養殖用網に細菌が残留していた場合であっても、海藻の養殖に影響を及ぼさない。
従って、処理後の養殖用網を更に滅菌処理する等の作業を行うことなく次の養殖に使用することができ、処理作業が容易である。
【００１７】
これらの細菌を用いて海藻養殖用網を処理するには、処理槽内の海藻養殖用網を適宜塩濃度の処理用液で浸漬する。すなわち、処理槽内に海藻養殖用網を配置し、そこに処理用液を流入して海藻養殖用網を処理用液で浸漬する。または、処理槽内に処理用液を流入させ、そこに海藻養殖用網を投入して海藻養殖用網を処理用液で浸漬する。
【００１８】
そして、海藻養殖用網浸漬の前後に、低温側生育限界温度が少なくとも３０℃であり、生育に適宜の塩濃度を要求する処理用細菌を前記処理用液に添加し、又は、処理用液で処理用細菌を培養しておき、該処理用細菌によって前記海藻養殖用網に残存する海藻を除去する。
処理の温度は４０℃〜５０℃程度が好ましいが、３０℃〜６０℃であればよい。
【００１９】
なお、処理用液の温度は一定に維持する必要はなく、１日の内で数時間、適宜温度になればよい。例えば、日中、太陽光の吸収によって処理用液を昇温させるようにしてもよい。
このように処理用細菌によって海藻養殖用網を処理するため、数時間〜１週間程度と比較的短い期間で処理を行うことができる。
また、処理槽内の処理用液に含まれる処理用細菌によって海藻養殖用網に残存する海藻を除去する処理を行うため、簡単な設備で廉価に実施することができる。
【００２０】
一方、処理槽内で処理するため、環境に悪影響を与えることがない。また、処理後の液体内には海藻の分解によって生じたアミノ酸、核酸、ヨウ素等の有用物質が含まれるため、そのまま又は有用物質の抽出用原料として利用することができる。
【００２１】
ところで、処理用液は、１質量／容量％以上３質量／容量％以下のＮａＣｌを含有するため、かかる塩濃度では本発明に係る細菌は好適に生育できるが、他の多くの細菌はその増殖が阻害されるため、雑菌の混入による弊害が抑制される。
【００２２】
一方、処理用細菌はその生育に所要の塩濃度を要求するため、淡水環境に放出された場合であっても、当該環境を汚染することはない。
【発明を実施するための最良の形態】
【００２３】
（本発明の実施形態）
まず、本発明に係る細菌について説明する。
（細菌の分離）
海苔分解能を有する一方、海苔養殖期には生育できない細菌を次のようにして分離した。
佐賀県有明水産センター周辺の複数箇所から土壌をそれぞれ採取し、海水１００ｍｌにつき生海苔を１ｇの割合で添加してなる海苔液体培地５ｍｌをそれぞれ分注した複数の大型ｍｌ試験管に各土壌１ｇを各別に分取し、それぞれ５０℃で数日間振とう培養することによって、海苔分解能を有し、また、海水温度より高い温度で生育する細菌を集積培養した。
【００２４】
海苔分解能が高かった試験管より集積培養液を０．１ｍｌ採取し、そのまま、又は適宜希釈して海苔寒天培地を分注したプレート上に拡散塗布し、５０℃で培養して単コロニー分離を行った。
【００２５】
ここで海苔寒天培地は次のようにして調整した。すなわち、前述した海苔液体培地中の生海苔に代えて乾燥海苔を同じ割合で添加したものをホモジナイズ処理した後に濾過して海苔残渣を除去し、得られた濾液に寒天（和光純薬工業株式会社）を１．５質量／容量％となるように添加し、オートクレーブにより滅菌して海苔寒天培地を得た。
【００２６】
各単コロニーを形成した菌体を無菌的に採取して滅菌水に懸濁させ、前同様、海苔寒天培地を分注したプレート上に拡散塗布して単コロニー分離を行った。形態が異なる複数の単コロニーから菌体をそれぞれ無菌的に採取して各別に海苔寒天斜面培地に塗布し、それぞれ５０℃で培養して保存菌株とした。
そして、これら各保存菌株について、海苔分解能、成長速度及び形態等の観点より３株を選択した。
【００２７】
（細菌の同定）
前述したようにして得た３菌株について、１６Ｓ  ｒＤＮＡ解析により同定を行ったところ、後記する配列番号１に示した塩基配列を有する菌株はMicrobulbifer属の細菌と９５％の相同性が認められ、配列番号２に示した塩基配列を有する菌株はMarinobacter属の細菌と９９％の相同性が認められ、配列番号３に示した塩基配列を有する菌株はBacillus属の細菌と９７％の相同性が認められた。
【００２８】
発明者らは、これらの細菌をミクロブルビファ  エスピー  エムビー−エルワン（Microbulbifer  sp.MB-L1）、マリノバクター  エスピー  アールビー−エヌシースリー（Marinobacter  sp.RB-Nc3）、バチルス  エスピー  ビーエル−ジーセブンティーツー（Bacillus  sp.BL-G72）と命名して、独立行政法人産業技術総合研究所の特許生物寄託センターに寄託し、前者にはＦＥＲＭ  ＡＰ−２１２５１、中者にはＦＥＲＭ  ＡＰ−２１２５０、後者にはＦＥＲＭ  ＡＰ−２１２４９の受領番号の付与を受けた。
【００２９】
（菌学的性質）
前記３株についての菌学的性質を検討した結果を次の表に示す。なお、菌学的性質の検討はBergey's  Manual  of  Determinative  Bacteriology  第９版に記載された方法に準じて行った。
【００３０】
【表１】
2008237053.tif 000003
【００３１】
上記表に示した菌学的性質より、Microbulbifer  sp.MB-L1（ＦＥＲＭ  ＡＰ−２１２５１）、Marinobacter  sp.RB-Nc3（ＦＥＲＭ  ＡＰ−２１２５０）、及びBacillus  sp.BL-G72（ＦＥＲＭ  ＡＰ−２１２４９）はいずれも新菌株であることが示された。
ところで、表に示したように、生育温度は３菌株とも４０℃から６０℃で生育し、至適生育温度は５０℃であった。なお、Marinobacter  sp.RB-Nc3は３０℃でも生育したが、２０℃では生育が認められなかった。
【００３２】
ここで、後述するように海苔の分解には少なくともMicrobulbifer  sp.MB-L1の存在が必要であり、この細菌は３０℃での生育は認められなかった。一方、海苔養殖期の海水温度は３０℃に達することはない。従って、Microbulbifer  sp.MB-L1、Marinobacter  sp.RB-Nc3、及びBacillus  sp.BL-G72が自然界である海に放出された場合であっても、海苔の養殖に影響を及ぼすことはない。
【００３３】
また、Microbulbifer  sp.MB-L1はＮａＣｌ濃度が１〜３質量／容量％の範囲で、Marinobacter  sp.RB-Nc3はＮａＣｌ濃度が０．５〜７質量／容量％の範囲で、Bacillus  sp.BL-G72はＮａＣｌ濃度が１〜５質量／容量％の範囲で生育することができたが、いずれもＮａＣｌ濃度が０質量／容量％の環境では生育することができなかった。従って、これらの細菌が河川及び池等の淡水環境に放出された場合であっても、当該環境を汚染することはない。
（海苔分解能）
Microbulbifer  sp.MB-L1、Marinobacter  sp.RB-Nc3、及びBacillus  sp.BL-G72をそれぞれ単独で、また組み合わせて海苔分解能を検討した。
【００３４】
海水１０００ｍｌにポリペプトン（日本製薬株式会社）１５ｇ及び酵母エキス（日本製薬株式会社）１ｇの割合で溶解させてなるZoBell培地を用いて、前記３菌株を各別に５０℃で振とう培養し、培養液０．１ｍｌを前述した海苔液体培地１０ｍｌに接種し、５０℃で１晩振とう培養した後、各海苔液体培地中の海苔の状態を目視によって確認した。なお、各培養液の接種は、各菌株を単独で、任意の２菌株を組み合わせて、及び３菌株を組み合わせて行った。
【００３５】
その結果、各菌株を単独で接種した場合、Microbulbifer  sp.MB-L1では海苔の分解が確認されたが、他の菌株では海苔の分解は確認されなかった。
【００３６】
また、任意の２菌株を組み合わせて接種した場合、Microbulbifer  sp.MB-L1を含む組み合わせでは海苔の分解が確認されたが、Microbulbifer  sp.MB-L1を含まない組み合わせでは海苔の分解が確認されなかった。
【００３７】
一方、３菌株を組み合わせて接種した場合は海苔の分解が確認された。
【００３８】
また、Microbulbifer  sp.MB-L1を単独で接種した場合と、Microbulbifer  sp.MB-L1を含む２菌株又は３菌株を組み合わせて接種した場合とで、海苔の分解の程度を目視により比較観察したところ、単独より組み合わせた場合の方が海苔の分解の程度は良好であった。
【００３９】
次に、海苔分解能を示した菌株及び組み合わせと海苔の量と関係に付いて検討した。
【００４０】
Microbulbifer  sp.MB-L1、Marinobacter  sp.RB-Nc3、及びBacillus  sp.BL-G72 を各別にZoBell培地を用いて培養し、各培養液の一部を前述した海苔液体培地に接種して、５０℃で一晩培養した。このようにして得たMicrobulbifer  sp.MB-L1の培養液を、生海苔を０．１ｇ又は０．５ｇ分取した複数の大型試験管に１０ｍｌづつ分注し、５０℃で振とう処理した。なお、菌株を組み合わせる場合は、前述したように得たMarinobacter  sp.RB-Nc3の培養液を０．１ｍｌ及び／又はBacillus  sp.BL-G72の培養液を０．１ｍｌ、前記大型試験管に添加した。
【００４１】
そして、２４時間ごとに処理液１ｍｌを採取し、１５０００ｒｐｍで１０分間遠心分離して上清を得、マルチパーパス（株式会社島津製作所）を用いて５６５ｎｍによるフィコエリスリンの吸光度を測定した。
その結果を図２及び図３に示した。
【００４２】
図２は０．１ｇの海苔に対する分解試験を行った結果を示す折れ線グラフであり、図３は０．５ｇの海苔に対する分解試験を行った結果を示す折れ線グラフである。両図中、◇印はMicrobulbifer  sp.MB-L1単独で処理した場合を、□印はMarinobacter  sp.RB-Nc3と組み合わせて処理した場合を、△印はBacillus  sp.BL-G72と組み合わせて処理した場合を、×印は３菌株を組み合わせて処理した場合をそれぞれ示している。
【００４３】
図２から明らかなように、被処理物である海苔の量が処理用細菌の量に対して相対的に少ない場合は、処理用細菌は単独であっても組み合わせても、海苔の分解速度は略同じであった。
一方、図３から明らかなように、被処理物である海苔の量が処理用細菌の量に対して相対的に多い場合は、処理用細菌は単独である場合より組み合わせた場合の方が海苔は早期に分解されていた。
従って、比較的多くの海藻養殖用網を処理する場合、Microbulbifer  sp.MB-L1とMarinobacter  sp.RB-Nc3とを組み合わせて使用するとよい。
【００４４】
次に、海苔の分解に対する菌数の影響を検討した。
【００４５】
Microbulbifer  sp.MB-L1をZoBell培地で種々の菌数濃度になるまで培養し、各１０μｌ又は１００μｌを採取して前述した海苔液体培地５ｍｌが分注された複数の試験管に各別に接種して５０℃で一晩振とう培養して、海苔が分解されるか否かを目視にて検討した。また、Marinobacter  sp.RB-Nc3、及びBacillus  sp.BL-G72 をZoBell培地で培養し、Microbulbifer  sp.MB-L1を接種した海苔液体培地に１０μｌずつ添加して、海苔が分解されるか否かを目視にて検討した。また、各菌数をZoBell培地を用いた寒天重層法により求めた。
【００４６】
その結果、海苔を分解するには、Microbulbifer  sp.MB-L1単独の場合では、１×１０5ｃｆｕ／ｍｌのレベルの菌濃度が必要であった。また、Marinobacter  sp.RB-Nc3又はBacillus  sp.BL-G72と組み合わせる場合、３菌株とも１×１０4ｃｆｕ／ｍｌのレベルの菌濃度が必要であった。
【００４７】
次に、本発明に係る海藻養殖用網の処理方法の一例を図面に基づいて詳述する。
図１は、本発明に係る処理方法の一実施様態を示す一部破断斜視図であり、図中、１は処理槽、また、１０は養殖に使用され摘取残渣が残存する海藻養殖用網である。この処理槽１は、折畳んだ状態の海藻養殖用網１０，１０，…を適宜枚数収納できる容積を有していればよく、液体を保持できる材質であれば硬質材・軟質材のいずれであってもよい。
【００４８】
例えば、底面積が１ｍ2で２００ｌの容量の容器を用いた場合、海苔養殖用網１０を１０〜１５枚処理することができる。一方、処理槽１の壁部をシート状になした場合、処理槽  を縮小させた状態で持ち運ぶことができ、処理槽１の運搬作業を容易にすることができる。
【００４９】
図１に示した例では、金属製のフレーム部材に防水性を有するシート部材を固定させて処理槽１を構成してある。
処理槽１の周壁は暗系色にしてあり、太陽光を吸収して処理槽１内の温度を上昇させ得るようになっている。また、処理槽１の開口は暗系色の蓋部材２で着脱自在に塞止されるようになっており、蓋部材２で処理槽１の開口を塞止することによって、処理槽１内から外部への放熱を抑制して処理槽１内の温度を更に上昇させ得るようになっている。
【００５０】
これによって、海苔養殖用網を処理する主な季節である春季であっても他の熱源を用いることなく、処理槽１内に貯留した処理用液を所要の温度である３０℃程度〜６０℃程度に昇温させることができる。
【００５１】
このような処理槽１を用いて海藻養殖用網１０，１０，…を次のように処理する。
処理槽１内に海藻養殖用網１０，１０，…を投入し、この処理槽１内に処理用液Ｗを少なくとも海藻養殖用網１０，１０，…が浸るように流入させた後に、蓋部材２にて処理槽１の開口を塞止し、太陽光の吸収によって処理槽１内の処理用液Ｗを３０℃〜６０℃程度まで昇温させる。
【００５２】
前述した処理用液Ｗとしては海水を用いることができるが、淡水に１〜３質量／容量％となるようにＮａＣｌを溶解させた溶液等、所要の塩濃度を有する液体を用いることができる。更に、適量のタンパク質分解物、酵母エキス等、糖質を除く適宜の栄養素を添加してもよい。
【００５３】
一方、処理用細菌Ｂを調整しておく。処理用細菌Ｂとしては、Microbulbifer  sp.MB-L1を単独で、或いはMicrobulbifer  sp.MB-L1とMarinobacter  sp.RB-Nc3及び／又はBacillus  sp.BL-G72と組み合わせて使用することができる。複数の処理用細菌Ｂを組み合わせて使用する場合、各処理用細菌Ｂは各別に培養する。
【００５４】
処理用細菌Ｂの培養にはZoBell培地を使用することができる。なお、かかるZoBell培地以外に、例えばmarine  groth2216E培地（和光純薬工業株式会社）等、適当な濃度の塩、ペプチド、及びビタミン類等を含有する培地を使用することができる。
また、このような栄養培地で培養して得た菌体を前述した海苔液体培地に接種して、更に培養するようにしてもよい。
培養条件としては、５０℃程度の温度で、振とう培養、又はジャーファーメンタ若しくはタンクによる通気攪拌培養を、半日〜１日程度行うようにする。
【００５５】
このようにして得た処理用細菌Ｂは、そのまま又は遠心分離若しくは濾過によって集菌して用いることができる。なお、集菌して得られた菌体は５℃程度で低温保存してもよいし、凍結乾燥してもよい。低温保存した菌体及び凍結乾燥した菌体にあっては、例えば５０℃程度の海水に懸濁させて、数十分〜数時間程度、放置・攪拌して活性化させてから使用するとよい。このとき、乾燥海苔又は生海苔を適量添加しておくことによって、海苔分解能も活性化させることができる。
海苔液体培地で処理用細菌Ｂを大量培養した場合、得られた培養液を処理用細菌が含まれる処理用液Ｗとして用いることもできる。
【００５６】
本実施の形態では、前述したようにして処理槽１内の処理用液Ｗ及び海藻養殖用網１０，１０，…が所要の温度に達すると、処理槽１内の処理用液Ｗに処理用細菌Ｂを添加する。
【００５７】
添加量としては、Microbulbifer  sp.MB-L1を単独で使用する場合は、添加後の処理用液Ｗにおいて１×１０5ｐｆｕ／ｍｌ以上になるようにし、Microbulbifer  sp.MB-L1とMarinobacter  sp.RB-Nc3及び／又はBacillus  sp.BL-G72と組み合わせて使用する場合、各菌株を添加後の処理用液Ｗにおいて１×１０4ｐｆｕ／ｍｌ以上になるようにする。
【００５８】
なお、Microbulbifer  sp.MB-L1、又はMicrobulbifer  sp.MB-L1とMarinobacter  sp.RB-Nc3及び／又はBacillus  sp.BL-G72とを、添加後の処理用液  においてそれぞれ１×１０7ｐｆｕ／ｍｌ以上になるように添加すると、処理に要する時間を短縮することができる。
【００５９】
そして、１日に１〜数回、処理槽１内を攪拌する操作を数時間〜１週間程度行うことによって、摘取残渣の一部又は全部を分解し、海藻養殖用網１０，１０，…から摘取残渣を脱離・除去させる。
【００６０】
このようにして摘取残渣を脱離・除去した海藻養殖用網は、そのまま、又は海水或いは淡水で洗浄してから、次の着胞作業に供される。
なお、淡水で洗浄した場合、海藻養殖用網に残存する処理用細菌Ｂの生菌数を大幅に減少させることができるため好適である。
このように比較的小さな処理槽１内で処理用細菌Ｂを用いて処理するため、簡単な設備で廉価に実施できる。また、海苔養殖期の海水温度は３０℃に達することはない一方、処理用細菌Ｂは３０℃での生育は認められないため、処理用細菌Ｂが海に放出された場合であっても、海苔の養殖に影響を及ぼすことはない。更に、処理用細菌Ｂはいずれも、ＮａＣｌ濃度が０質量／容量％の環境では生育することができないため、淡水環境に放出された場合であっても、当該環境を汚染することはない。
【００６１】
なお、本実施の形態では、処理槽１内に海藻養殖用網１０，１０，…及び処理用液Ｗを入れ、これら海藻養殖用網１０，１０，…及び処理用液Ｗを昇温してから処理用細菌Ｂを添加するようにしたが、本発明はこれに限らず、処理槽１内に貯留した処理用液Ｗを昇温して処理用細菌Ｂを添加し、その後海藻養殖用網１０，１０，…を処理用液Ｗ内に浸漬するようにしてもよいことはいうまでもない。
【００６２】
また、本実施の形態では太陽光によって処理槽１内の温度を昇温するようになしてあるが、本発明はこれに限らず、加熱器を用いて、処理槽１内の処理用液Ｗ及び海藻養殖用網１０，１０，…を昇温するようにしてもよい。加熱器を用いる場合、サーモスタットを併用することによって、処理用液Ｗの温度を４０℃程度〜５０℃程度に維持することができ、処理時間を短縮することができる。
【００６３】
また、処理槽１内に管体に複数の細孔を開設したノズルを配置しておき、このノズルにコンプレッサから圧縮空気を供給して、ノズルの細孔から処理槽１内の処理用液Ｗに空気を導入するようにしてもよい。これによって、処理用細菌Ｂの生育が活性化されるのに加え、ノズルの細孔から放出される多数の泡が海藻養殖用網１０，１０，…に衝突するため、摘取残渣の脱離が促進される。従って、前述した攪拌作業を省略することができる。
また、攪拌機を備えるようにしてもよいことはいうまでもない。
なお、本実施の形態では、海苔養殖に適用した場合について説明したが、細胞壁の組成が近似している青海苔、モズク、キリンサイ等、他の海藻の養殖用網の処理にも適用できる。
【図面の簡単な説明】
【００６４】
【図１】本発明に係る処理方法の一実施様態を示す一部破断斜視図である。
【図２】０．１ｇの海苔に対する分解試験を行った結果を示す折れ線グラフである。
【図３】０．５ｇの海苔に対する分解試験を行った結果を示す折れ線グラフである。
【符号の説明】
【００６５】
１  処理槽
２  蓋部材
１０  海藻養殖用網
Ｗ  処理用液
Ｂ  処理用細菌
【図１】
2008237053.tif 000004
【図２】
2008237053.tif 000005
【図３】
2008237053.tif 000006
【配列表】
2008237053000001.app